Podtech/llm-jp-corpus-v4-ja_patent huggingface dataset:
(57)【要約】      （修正有）【課題】一般家庭の洋式水洗便所で立って普通に小便を行うことが可能な折り畳み式の小便用便器を提供する。【解決手段】折り畳んだ状態で厚さ１０ｃｍで縦横２５ｃｍ四方で、内部に軟質プラスチック素材の折り畳み式液体容器を加工して折り畳み式小便用便器とし、和洋式トイレ室の壁面に設置して小便器として使用する。また、防災用の小便器として使う時は折り畳み式の小便用便器をポリエチレン素材の折り畳み式液体容器に連結して使用する。【選択図】図２
2019017654.tif 000002
【特許請求の範囲】
【請求項１】
壁面設置式で折り畳み式小型小便用便器を提案します  折り畳んだ状態で厚さ10ｃｍで25cm四方の箱に収まり内部に軟質プラスチック素材の10ｌ用折り畳み式液体容器を加工して便器とする
【発明の詳細な説明】
【技術分野】
【０００１】
折り畳み式の小便用便器（洗面台用排水管付き）を和洋式トイレ室の壁面に設置して小便器として使用する  折り畳んだ状態で厚さ10ｃｍで縦横25cm四方で  内部に軟質プラスチック素材の10ｌ用折り畳み式液体容器を加工して折り畳み式小便用便器とし高さを調整して男性性器が便器の縁に当たる位置に設定して小便の飛び散りを防ぎ使用する排出部に簡易水封器（洗面台用排水管付き）を有する折り畳み式の小便器
防災用の小便器として使う時は  折り畳み式の小便用便器（洗面台用排水管付き）をポリエチレン素材の20ｌ用折り畳み式液体容器に連結して使用する。
【背景技術】
【０００２】
我が家で洋式便器を設置して以来小便の飛び散りを妻に指摘され年を取るに従って小便の軌道が乱れてき妻の指摘も激しくなり遂に座り小便を強要され  何とかいい方法がないか考えておりましたところ以前オランダに行った時小便器が高くて小さかった背伸びをしてやっとちんちんが便器の縁に届く状態でしたそのままで小便をすると小便の軌道に関係なく小便器に吸い込まれていった結論はちんちんが便器の縁に接触するくらい近かったら小便の飛び散りは防げます。また現実問題洋式便器室に追加して小便器室を設置する経済的、面積的余裕がないのが現状です。
【発明の概要】
【発明が解決しようとする課題】
【０００３】
この発明は男性が高齢になり特に小便の軌跡が不安定になり小便の飛び散りの原因となる、特に和洋式水洗便器で立ち小便をすると尿が周りに飛び散るこのため「尿が周りに飛び散るので座って小便をしなさい」と言う女性陣の無法な意見に押し切られた哀れなおっさんと女性陣のそれを聞いて「座って小便をしていたらオカマに成る」と言い立ち小便を貫く勇気ある？外国人青年の一言により気が付いたことである
一部報道にあるように日本の若者の73％が陥っている自宅の便所での座り小便と（個人的意見ですが）その時つい出てしまう大便の恐怖、優柔不断さ、  ひいては男性の女性化、いわゆる植物系男子化現象、ひいてはセックスレスによる少子化の蔓延を招きかねない
【課題を解決するための手段】
【０００４】
この発明の請求項１に係る折り畳み式小型小便用便器により老人はちんちんの先を押さえなくてもおしっこの飛び散りを心配せずに使用でき一般家庭では水洗便所のスペースで小便のできる折り畳み式小型小便用便器が共に設置でき小さい子供のときから男の立ち小便を習慣にし上記のような症状の洋式水洗便器症候群を防止する目的、男性に自信を持たせ肉食男子増殖の為に絶対必要な道具です
【発明の効果】
【０００５】
男性を子供の頃から男にする、一般的な和洋式便器の水洗便所のスペースで大便器と小便器が設置できる
【発明を実施するための最良の形態】
【０００６】
男の子を肉食男子に育てるために和洋式水洗便所の壁に折り畳み式小型小便用便器を設置すべし一般的な家庭用の水洗便所のスペース内で小便器を追加で設置できる。
【図面の簡単な説明】
【０００７】
【図１】折り畳み式小型小便用便器の素材と形状  10ｌ用軟質プラスチック素材の折り畳み式液体容器を斜め半分に切りインナーとする  25cm四方と２5cm四方の箱を蝶番を介してつなぎ合わせケースを作りインナーをケースに取り付ける
【図２】折り畳み式小型小便用便器の開閉状態  折り畳み式小型小便用便器はインナーの排水管に洗面台用排水管を繋ぎ下水管の中に流し込む
【図３】防災用  折り畳み式小型小便用便器本体の２０ｌ用軟質プラスチック素材の折り畳み式液体容器への繋ぎこみ
【図１】
2019017654.tif 000003
【図２】
2019017654.tif 000004
【図３】
2019017654.tif 000005
(57)【要約】【課題】スイッチングレギュレータ回路を搭載した電源装置で、スイッチング素子のスイッチング１サイクルにおけるオン期間の比率を低減する。【解決手段】スイッチング素子のオン期間とオフ期間で搭載された複数のインダクタの合成インダクタンスが異なることにより、スイッチング１サイクルにおけるオン期間の比率を低減する。【選択図】図１
2019017171.tif 000002
【特許請求の範囲】
【請求項１】
スイッチングレギュレータ回路を搭載した電源装置で、スイッチング素子のオン期間とオフ期間で搭載された複数のインダクタの合成インダクタンスが異なることを特徴とした直流電源装置。
【発明の詳細な説明】
【技術分野】
【０００１】
本発明は、直流電源装置に関するものである。
【背景技術】
【０００２】
直流出力を得るためのスイッチングレギュレータ回路として、特許文献１に記載されたような昇圧回路や、降圧回路が知られている。
【先行技術文献】
【特許文献】
【０００３】
【特許文献１】特開平07-107739号公報
【発明の概要】
【発明が解決しようとする課題】
【０００４】
上記のようなスイッチングレギュレータ回路において高い出力電圧を得る場合、スイッチングの１サイクルにおいてスイッチング素子のオン期間を大きくとることになる。制御方式によってはオン期間を大きくとることに制限があったり、インダクタに大きなピーク電流が流れることにより、容量の大きな部品の選定が必要となったりすることがある。本発明は、スイッチング素子のオン期間とオフ期間で、搭載された複数のインダクタの合成インダクタンスが異なることにより、スイッチング１サイクルにおけるオン期間の比率を低減することを目的とする。
【課題を解決するための手段】
【０００５】
スイッチングレギュレータ回路を搭載した電源装置で、スイッチング素子のオン期間とオフ期間で搭載された複数のインダクタの合成インダクタンスが異なることを特徴する。
【発明の効果】
【０００６】
本発明によれば、スイッチングレギュレータ回路を搭載した電源装置で、スイッチング素子のオン期間とオフ期間で、搭載された複数のインダクタの合成インダクタンスが異なることにより、スイッチング１サイクルにおけるオン期間の比率を低減することが可能となる。
【図面の簡単な説明】
【０００７】
【図１】本発明の一実施例の構成例を示す図である。
【発明を実施するための形態】
【０００８】
本実施形態の一例を、図１を用いて説明する。
【０００９】
昇圧形スイッチングレギュレータ回路１は、複合インダクタ２、スイッチング素子３、ダイオード４、コンデンサ５、６を備え、前記複合インダクタ２は、インダクタ２１、２２、ダイオード２３〜２５から構成され、インダクタ２１と２２のインダクタンスは同一であるものとする。
【００１０】
この実施例において、スイッチング素子３のオン期間において前記複合インダクタ２は、インダクタ２１とダイオード２５の直列接続と、ダイオード２３とインダクタ２２の直列接続を、並列に接続した構成と等価となり、合成インダクタンスはインダクタ２１および２２の１／２となる。
【００１１】
また、スイッチング素子３のオフ期間において前記複合インダクタ２は、インダクタ２１、ダイオード２４、インダクタ２２を直列接続したものと等価となり、合成インダクタンスはインダクタ２１および２２の２倍となる。
【００１２】
複合インダクタ２を単一のインダクタに置き換えた、従来の昇圧回路においては、連続モードにおけるスイッチング１サイクルに対するオン期間の比率は概算で
（Ｖｏ−Ｖｉ）／Ｖｏ
（Ｖｏ：出力電圧，Ｖｉ：入力電圧）
となるが、図１の回路の連続モードにおけるスイッチング１サイクルに対するオン期間の比率は概算で
（Ｖｏ−Ｖｉ）／（Ｖｏ＋Ｖｉ）
（Ｖｏ：出力電圧，Ｖｉ：入力電圧）
となり、スイッチング１サイクルにおけるオン期間の比率は低減できる。
【符号の説明】
【００１３】
１  昇圧形スイッチングレギュレータ回路
２  複合インダクタ
３  スイッチング素子
４  ダイオード
５，６  コンデンサ
２１，２２  インダクタ
２３〜２５  ダイオード
【図１】
2019017171.tif 000003
(57)【要約】【課題】  カメラで写真を撮影したあとで、撮影した写真の時間間隔をあけた前後の写真を選択して保存できるシステムである。【解決手段】  写真撮影したときに、撮影した時点の１枚の写真を永久保存する。撮影前と撮影後の時間間隔をあけた複数の写真を一時保存する。撮影した写真が失敗したり、満足できない場合は、一時保存した撮影前後の写真から選択して永久保存することができる。【選択図】図１
2019033466.tif 000002
【特許請求の範囲】
【請求項１】
カメラで撮影した時点の写真を永久保存して、撮影前と撮影後の時間間隔をあけた複数の写真を一時保存しておき、あとから撮影前と撮影後の写真の中から選択して永久保存ができるシステム。
【発明の詳細な説明】
【技術分野】
【０００１】  本発明は、カメラで写真を撮影したあとで、撮影した写真の時間間隔をあけた前後の写真も選択して保存できるシステムである。
【背景技術】
【０００２】  従来、撮影した写真の前後を写真として保存する方法として、動画で撮影して動画から写真を切り出す方法があった。また、連続で写真を撮影して撮影前後も含めてまとめて保存する方法があった。
【発明の概要】
【発明が解決しようとする課題】
【０００３】カメラで写真を撮影した場合に、人物が目を閉じていることや、手振れが発生していたなど、撮影後に気がついて、撮り直しができないことがある。
これを解決する従来の手段としては、動画で撮影することや、連続撮影をする方法がある。【０００４】動画から写真を切り出す方法では、次のような問題が発生していた。
（イ）写真に比べ動画の解像度が低いため画質が低下してしまう。
（ロ）動画から切り出したい画像を選ぶには、動画を少しずつコマ送りで再生させて見つける必要があり、時間がかかった。【０００５】連続で写真を撮影して保存する方法では、次のような問題点が発生していた。
（ハ）必要な写真と不要な写真が一緒に保存されてしまう。
（ニ）不要な写真が保存されたままだと保存領域を消費してしまう。削除する手間も必要である。
本発明は、これらの欠点を解決するためのものである。
【課題を解決するための手段】
【０００６】  写真撮影したときに、撮影した時点の１枚の写真を永久保存する。そして、撮影前と撮影後の時間間隔をあけた複数の写真を一時保存する。
撮影した写真が失敗したり、満足できない場合は、撮影前後の一時保存した写真から選択して永久保存することができる。
撮影前後の一時保存した写真は一定の量を超えた場合や、一定の時間がたった場合に自動で削除するので、削除する手間は不要である。
撮影前後の一時保存した写真は、一定の量を超えた場合や、一定の時間がたった場合の条件で自動削除されるまでは、選択して永久保存ができる。
撮影前後の一時保存した写真は、複数枚を一覧表示するなどして、簡単に見つけて永久保存できる。
撮影前後の写真も、撮影した写真と同様の解像度で一時保存する。
本発明は以上の構成からなる、撮影前後の写真を、あとから永久保存できるシステムである。
【発明の効果】
【０００７】  カメラ撮影で人物が目を閉じてしまっていても、一時保存した撮影前後の写真から良い写真を選んで永久保存できる。カメラ撮影で手振れにより失敗しても、一時保存した撮影前後の写真から良い写真を選んで永久保存できる。カメラ撮影で余計なものが写っていても、一時保存した撮影前後の写真から良い写真を選んで永久保存できる。子供やペットなど動きのある被写体をカメラで撮影して、一時保存した撮影前後の写真から写りのよい写真を選んで永久保存できる。
【図面の簡単な説明】
【０００８】
【図１】  撮影時の写真の保存の図。
【図２】  撮影前後の写真の選択保存の図。
【図３】  撮影前後の写真の自動削除の図。
【発明の実施するための形態】
【０００９】  以下、本発明の実施形態を図面を参照して説明する。
（イ）  図１はカメラで撮影したときの状態を表している。撮影したタイミングで撮影時点の写真の永久保存を行い、撮影前と撮影後の時間間隔をあけた複数の写真を一時保存する。撮影前〜撮影時点〜撮影後の複数の写真は時系列で管理されている。
（ロ）  図２は撮影前後の写真の選択保存を表している。一時保存された複数の撮影前と撮影後の写真から、選択して永久保存を行う。
（ハ）  図３は撮影前後の一時保存された写真の自動削除を表している。撮影前後の写真は一定の量を超えた場合や、一定の時間がたった場合に自動で削除する。
【図１】
2019033466.tif 000003
【図２】
2019033466.tif 000004
【図３】
2019033466.tif 000005
(57)【要約】【課題】  長期の保存が可能であり、風味豊かで味わい深く、柔らかく食べやすい鰤ジャーキーの製造方法を提供する。【解決手段】  鰤の切り身を塩分濃度４％に塩漬し、塩漬した鰤を０〜５℃で１〜２日間熟成させ、次いで凍結させた後、半解凍の状態で厚さ３〜４ｍｍにスライスし、１５〜２０℃で７〜９時間乾燥させたうえ、燻煙処理する。【選択図】      図１
2019033721.tif 000002
【特許請求の範囲】
【請求項１】
鰤の切り身を塩分濃度４％に塩漬し、
塩漬した鰤を０〜５℃で１〜２日間熟成させ、
次いで凍結させた後、半解凍の状態で厚さ３〜４ｍｍにスライスし、
１５〜２０℃で７〜９時間乾燥させたうえ、
燻煙処理したことを特徴とする鰤ジャーキーの製造方法。
【請求項２】
前記燻煙処理は、サクラ、ナラ、ヒッコリ、クルミ、リンゴ、ナラ、ブナ、ホワイトオークからなる群から選択される少なくとも２種類の燻煙材を用い、５〜２０℃で１〜１０時間行うことを特徴とする請求項１に記載の鰤ジャーキーの製造方法。
【発明の詳細な説明】
【技術分野】
【０００１】
本発明は、鰤ジャーキーの製造方法に関する。
【背景技術】
【０００２】
ジャーキーとは、食材に塩等の調味料を塗付し、干して水分を抜いた保存食であって、食材の風味を高めるためにさらに燻煙されることも多い。従来、ジャーキーの原材料としては牛肉が一般的であるが、牛肉の他にも、鶏肉、豚肉が用いられている。また、鮭を原料とする、鮭とばと呼ばれる完全に乾燥させた食感の硬いものが知られている。
【０００３】
鰤は、魚類の中でも特に脂質の多い魚であって独特の風味を有する。鰤を用いた保存食としては、干物、塩漬け、油漬け等が一般的である。鰤を単に燻煙加工することも行われているが、燻煙だけでは長期の保存は困難であった。
また従来、鰤をジャーキーへ加工することは行われていなかった。鰤は非常に脂質の多い魚であるため鮭と同じ条件のもとでジャーキーへ加工することが困難であり、鰤特有の生臭さも残るという問題があったためである。
【発明の概要】
【発明が解決しようとする課題】
【０００４】
本発明は上記実情に鑑み、長期の保存が可能であり、風味豊かで味わい深く、柔らかく食べやすい鰤ジャーキーの製造方法を提供することを目的とする。
【課題を解決するための手段】
【０００５】
本発明の鰤ジャーキーの製造方法は、鰤の切り身を塩分濃度４％に塩漬し、塩漬した鰤を０〜５℃で１〜２日間熟成させ、次いで凍結させた後、半解凍の状態で厚さ３〜４ｍｍにスライスし、１５〜２０℃で７〜９時間乾燥させたうえ、燻煙処理したことを特徴とする。
【０００６】
前記燻煙処理は、サクラ、ナラ、ヒッコリ、クルミ、リンゴ、ナラ、ブナ、ホワイトオークからなる群から選択される少なくとも２種類の燻煙材を用い、５〜２０℃で１〜１０時間行うことが望ましい。
【発明の効果】
【０００７】
本発明によれば、鰤の切り身を塩分濃度４％に塩漬し、塩漬した鰤を０〜５℃で１〜２日間熟成させることによって、程よい塩味と鰤の旨味を引き出すことが可能となる。次いで凍結させた後、半解凍の状態で厚さ３〜４ｍｍにスライスし、１５〜２０℃で７〜９時間乾燥させることにより、食べやすい硬さと長期の保存性が得られる。また、乾燥後に燻煙処理することにより、鰤の良い風味を生かしつつ、鰤特有の生臭さを除去することができる。これらの工程の相乗的な効果によって、新しい鰤の保存食品として、長期の保存が可能であり、風味豊かで味わい深く、食べやすい鰤ジャーキーを提供することができる。
【図面の簡単な説明】
【０００８】
【図１】鰤ジャーキーの製造方法を示す工程図である。
【発明を実施するための形態】
【０００９】
以下、本発明の実施の形態を図面に基づいて説明する。
本発明に係る鰤ジャーキーは、塩漬工程、熟成工程、スライス工程、乾燥工程、燻煙工程の順に大きく分けて５つの工程によって製造されるものである。
鰤ジャーキーに用いる鰤としては特に限定されないが、程よく脂の乗った富山県氷見市において漁獲されたものであり、鮮度の良い鰤を用いることが望ましい。
【００１０】
＜塩漬工程＞
鰤の骨を除き、皮が付いた状態の切り身（フィレ）の重量に対して、４％の食塩を用意し、手作業で切り身に塗す。食塩としては特に限定されないが、海塩、岩塩、天日円等を使用することができる。
【００１１】
＜熟成工程＞
塩漬処理を施した鰤の切り身を、５℃に保った室内において１〜２日間熟成させる。これによって、塩味が切り身に程よく浸透し旨味を引き出すことが可能となる。熟成時間は切り身の大きさにもよるが４８時間が望ましい。
熟成工程を経た鰤は、次工程の前に電解次亜水の流水によって洗浄しておく。
【００１２】
＜スライス工程＞
次に、鰤の切り身をマイナス３２℃の温度下に６時間晒し凍結させる。凍結後、手作業によって鰤の皮を除去する。その後、マイナス５℃に保った室内に１２時間おいて半解凍状態とし、切り身を厚さ３〜４ｍｍにスライスする。厚さが５ｍｍ以上とした場合は、食べやすい食感が失われてしまい、２ｍｍ以下とした場合は身崩れするおそれがある。
【００１３】
＜乾燥工程＞
スライスした鰤を１５〜２０℃の温度下で７〜９時間機械乾燥させる。この条件において乾燥させることにより、硬すぎず、食べやすい食感の鰤ジャーキーを得ることができる。また、適度な水分量となるため、長期の保存が可能となる。最も望ましい条件は、１８℃，８時間である。
【００１４】
＜燻煙工程＞
乾燥処理を施した鰤は、５〜２０℃という低い温度下で、１〜１０時間の燻煙処理を施す。燻煙材としては、サクラ、ナラ、ヒッコリ、クルミ、リンゴ、ナラ、ブナ、ホワイトオーク等の棒状のウッド又は細かく刻まれたチップを用いることができる。
鰤の風味を生かしつつ生臭さを除去し、美しい褐色に発色させるためには、上述した種々の燻煙材を少なくとも２種類以上組み合わせて用いることが望ましく、ナラ、サクラ及びヒッコリの３種を用いることがより望ましい。ナラを用いることによって、赤みの発色が鮮やかとなり、強い燻煙臭を与えることが可能となる。また、サクラはハム等に一般的に用いられるものであるが、鰤特有の生臭さを和らげることが可能となる。ヒッコリは、北欧で一般的に用いられているが、ナラとサクラの中間的な薫りを有する。ナラ、サクラ、ヒッコリの順に引火して燻煙することにより、鰤特有の良い風味に深い薫りを付けることが可能となる。
用いる燻煙材の種類によって燻煙処理時間を調整する。ナラ、サクラ、ヒッコリを用いる場合は５時間の燻煙処理を行うことが望ましい。
【００１５】
このように製造した本発明の鰤ジャーキーは、程よい塩味と鰤の旨味が引き出され、食べやすい硬さと長期の保存性を有し、鰤の良い風味を生かしつつ、鰤特有の生臭さを除去することができる。
【００１６】
本発明は、上記の実施形態に限定されない。例えば塩漬工程において、食塩とともに、鰤の風味と旨味を損なわない程度の、香辛料や糖類等の他の調味料を使用してもよい。
【図１】
2019033721.tif 000003
(57)【要約】      （修正有）【課題】世界的人口増加により、飲料可能な水の不足を解決するため、あるいは上水道が完備されていな場所所、あるいは近くに水源がない場所でも安全な飲料水を製造する装置を提供する。【解決手段】人が集まる大型シェルターなど人が発散する大気中の水分を冷却材で冷やした冷却管Ａに結露させて、その水滴を集水受けＣで受けとめて、水タンクＤに集めて飲料水を製造する装置。【選択図】図２
2019094751.tif 000002
【特許請求の範囲】
【請求項１】
冷却液循環装置（Ｂ）に接続された冷却管（Ａ）に冷却材を循環させ冷却管と大気の温度差で大気中の水分を冷却管表面に結露させ水滴を集め水を製造する装置
【発明の詳細な説明】
【技術分野】
【０００１】大気中の水分を冷却材で冷やした冷却管に結露させその水滴を集め水を製造する装置。
【発明概要】
【０００２】冷却液循環装置（Ｂ）に出来るだけ大気に干渉するように波状に銅管やステンレスなどの冷却管（Ａ）を接続する。
【０００３】冷却液循環装置（Ｂ）から冷却管内に冷やされた冷却液を流し大気と冷却管（Ａ）に温度差をつくり冷却管の表面に大気中の水分を結露させる。
【０００４】結露で発生した水滴を冷却管（Ａ）下の集水受け（Ｃ）で集め水タンク（Ｄ）に集める。
【図面の簡単な説明】
【０００５】
【図１】冷却管（Ａ）冷却管内の冷却液の流れ
【図２】水製造機  図
【図３】水製造機  外観図
【符号の説明】
【０００６】（Ａ）冷却管
（Ｂ）冷却液循環装置
（Ｃ）集水受け
（Ｄ）水タンク
【図１】
2019094751.tif 000003
【図２】
2019094751.tif 000004
【図３】
2019094751.tif 000005
(57)【要約】      （修正有）【課題】水圧や洗剤によるシャワーヘッドの回転を防ぐことが可能なシャワーヘッド固定器具を提供する。【解決手段】シャワーヘッド１に複数の溝２を設け、ヘッドフック３にも複数の溝４を設けた構成とし、シャワーヘッド１の溝２がフック３の溝４に嵌ることによりシャワーヘッド１の回転が防止される。これにより、シャワーヘッドが方向性を失うことを防止できる為、片手で押さえる必要がなく両手が使用できる。【選択図】図２
2019094744.tif 000002
【特許請求の範囲】
【請求項１】
ヘッドとフックに溝を設け、シャワーヘッドの回転を防ぎ固定を可能にしたシャワーヘッド器具。
【発明の詳細な説明】
【技術分野】
【０００１】  この発明は、シャワーヘッドが水圧により方向性を失う事を防ぎ固定が可能な器具である。
【背景技術】
【０００２】  従来、洗髪する場合両手を使用していた。
【発明の開示】
【発明が解決しようとする課題】
【０００３】  そのために、次のような問題が生じていた。
（イ）  シャワーヘッドが方向性を失うため、片方の手で押さえなければならなかった。
本発明は、以上の問題を解決したものである。
【課題を解決するための手段】
【０００４】シャワーヘッドとフックに複数の溝を設ける。
以上の構成からなるシャワーヘッドの器具である。
【発明の効果】
【０００５】したがって、シャワーヘッドが方向性を失うことを防止できる為、片手で押さえる必要もなくなった。
【発明を実地するための最良の形状】
【０００６】（イ）シャワーヘッド（１）に複数の溝（２）を設ける。
（ロ）ヘッドフック（３）に複数の溝（４）を設ける。
本発明は以上の構成からなる、シャワーヘッド固定護具である。以下、使用方法について説明する。
従来のシャワーヘッドは水圧や洗剤により方向性を失い必要のない方向へ散水することが多かった。
シャワーヘッド（２）の溝とフック（４）の溝により固定が可能となり方向性を失うことがなく両手が使用できる。
そのため片手で押さえる必要が無い。
【図面の簡単な説明】
【０００７】
【図１】  本発明の斜視図
【図２】  本発明の原理説明図
【図３】  本発明の使用説明図
【符号の説明】
【０００８】１はシャワーヘッド
２は溝
３はヘッドフック
４は溝
【図１】
2019094744.tif 000003
【図２】
2019094744.tif 000004
【図３】
2019094744.tif 000005
(57)【要約】      （修正有）【課題】鉄道車両のワイパー交換や窓ガラス交換等の前面作業に於いて、車両のほぼ全幅で安全に作業を可能とするための作業台をレールに固定する機構を提供する。【解決手段】軌道上の２本のレールを利用し、移動用車輪とレールをクランプする如く固定し、レール間の幅を超える作業面積の広い作業台であっても、油圧或いは手動による確実な固定によって安全な作業を可能とする。また、車両の連結器を利用しないため、連結器の種類による制限がない。【選択図】図１
2019094040.tif 000002
【特許請求の範囲】
【請求項１】
車両の連結器を利用せずに、車両前面の任意の位置で作業台をレールに固定する機構。
【請求項２】
請求項１に記載のレールへの固定・開放が、作業台に装備された鉤爪状のレバーにより、為される機構を備える作業台。
【請求項３】
請求項１及び２に記載の作業台に於いて、当該作業台とレールを挟み込む作用を持つレバーが油圧、または手動により作動し、レールへの固定及び開放が為される機構を有した作業台。
【発明の詳細な説明】
【技術分野】
【０００１】本考案は、鉄道車両の前面作業台に関する。
【背景技術】
【０００２】従来、停車中の鉄道車両に対して、ワイパー交換等の車両前面を対象とした作業に際し、レール上に置かれた作業台を車両前面までレール上を移動させ、作業を実施している。  作業の実施が可能となる位置まで作業台を移動した際に、作業台の移動用車輪に装備されたブレーキ機構により、作業台の固定をしていた。【０００３】作業台を車両に装備された連結器を利用して固定する方法のものは、連結器まで複数の作業者が当該作業台を運び、人力により作業台と連結器を結合していた。
【発明の開示】
【発明が解決しようとする課題】
【０００４】作業台の移動用車輪に装備したブレーキ機構を固定に利用する場合、レールと移動用車輪の摩擦抵抗によるのみで、鋼鉄製のレールと、樹脂、或いは鉄製の移動用車輪の間に生じる摩擦抵抗のみでは十分な固定力を生じる事は難しく、作業中に大きな力が加わった際には当初の固定位置から動き、作業者の転落等の危険を生じる恐れがある。  又、レールの上に作業台が載っている状態であり何ら固定手段が施されていないため、作業台の片側に荷重が集中した場合、作業台が傾斜、或いは倒れる危険性もあった。【０００５】連結器を作業台の固定に利用する場合、車両に使用されている連結器には多くの種類が有り、その車両の連結器に合った固定機構が必要であった。  また、人力により作業台を連結器まで運ぶため、作業台の重量が問題となり、十分な作業面積を有する作業台を人力により移動させることは不可能であった。
【課題を解決するための手段】
【０００６】上記課題を解決するための手段として、作業台をレールに固定する機構を考案し、前項の課題を解決するものである。
【発明を実施するための形態】
【０００７】図−１は本考案の実施例であるが、前後に装備された移動用車輪の間に、レールをクランプする為の鉤状のレバーを備え、レバーには二つの誘導輪が有り、それぞれレバー側面の板に開けられた誘導溝に入っている。
【０００８】図−２は前項同様、本考案の実施例であり、鉤状のレバーの上側を手動、或いは油圧によって引く事により、レバーは誘導溝に沿って下降し、鉤状の先端がレール踏面裏に移動する。
【０００９】なおもレバーを引く事により、レール踏面裏に移動した鉤状部分は、レール踏面裏に接触し、レールを押し上げる作用を行う。
【００１０】図−３はレバーの鉤状部分がレール踏面裏を押し上げている状態であり、移動用車輪と当該レバーによって、レールがクランプされる事となる。
【考案の効果】
【００１１】本考案の固定機構により、レールが移動用車輪とクランプされ、作業台がレールの前後、上下に動く事を規制する事となり、作業台上で荷重が偏った場合や前後方向に力が加わった際に於いても作業台は動く事が無く、安全な作業を遂行できる。
【００１２】本考案の固定機構を持つ作業台は、連結器の種類に影響されることなく、また、確実な固定が確保される為、流線形の形状を持つ車両前部に対しても、作業台の床面を車両側に延長する事が可能となり、安全な距離から作業を行う事が可能となる。
【００１３】本考案の固定機構は、取付フレームの幅を変更する事により、ＪＲ標準軌道幅のみではなく、狭軌、広軌にも対応が可能である。
【図面の簡単な説明】
【００１４】
【図１】は、解放時の移動用車輪と固定機構及びレールの位置関係を示す正面図である。
【図２】は、前項の位置関係を示す側面図である。
【図３】は、同じく平面図である。
【図４】は、レバーが案内溝にそって移動する状態を示す。
【図５】は、固定時の移動用車輪とレバー及びレールの位置関係を示す。
【図６】は、本考案の固定機構を備えた車両用前面作業台の一例、正面図を示す。
【図７】は、本考案の固定機構を備えた車両用前面作業台の一例、側面図を示す。
【符号の説明】
【００１５】［図１］［図２］［図４］［図５］の▲Ａ▼・・・・・レールを示す。
［図１］［図４］［図５］の▲Ｂ▼・・・・・レール間に設置されたの渡り板を示す。
［図１］［図３］［図４］［図５］の▲Ｃ▼・・・・本出願の固定用レバーを示す。
［図１］［図２］［図３］［図４］及び［図５］の▲Ｄ▼・・・・・本出願の固定機構側板を示す。
［図１］［図４］［図５］の▲Ｅ▼・・・・本出願の固定機構側板に設けられたガイド穴を示す。
［図１］［図４］［図５］の▲Ｆ▼・・・・本出願の固定機構レバーに取り付けられた誘導輪（大）を示す。
［図１］［図４］［図５］の▲Ｇ▼・・・・本出願の固定機構レバーに取り付けられた誘導輪（小）を示す。
［図１］［図３］［図５］の▲Ｈ▼・・・・・本出願の固定機構レバーを移動させるためのロッドを示す。
［図１］［図２］［図３］の▲Ｉ▼・・・・本出願の固定機構の固定・解放を行う油圧シリンダーを示す。
［図３］の▲Ｊ▼・・・・・本出願の固定機構ロッドと油圧シリンダーを結ぶリンクを示す。
［図１］［図２］［図３］［図４］［図５］の▲Ｋ▼・・・・・移動用車輪を示す。
［図１］［図２］［図３］［図４］［図５］の▲Ｌ▼・・・・外側フレームを示す。
［図１］［図２］［図３］［図４］［図５］の▲Ｍ▼・・・・内側フレームを示す。
［図１］［図３］の▲Ｎ▼・・・・・中心フレームを示す。
［図６］及び［図７］の▲Ｏ▼・・・・・作業対象の車両を示す。
［図６］及び［図７］の▲Ｐ▼・・・・・作業台の安全柵を示す。
［図６］及び［図７］の▲Ｑ▼・・・・・作業台昇降用梯子を示す。
【図１】
2019094040.tif 000003
【図２】
2019094040.tif 000004
【図３】
2019094040.tif 000005
【図４】
2019094040.tif 000006
【図５】
2019094040.tif 000007
【図６】
2019094040.tif 000008
【図７】
2019094040.tif 000009
(57)【要約】      （修正有）【課題】形状記憶合金の変形が元に戻ることを解明する形状記憶合金の提供。【解決手段】形状記憶合金２は、部品１を内蔵している。【選択図】図１
2019094557.tif 000002
【特許請求の範囲】
【請求項１】
形状記憶合金には、電子部品を内蔵している。
【発明の詳細な説明】
【技術分野】
【０００１】この発明は、形状記憶合金に、電子部品を内蔵していることに関するものである。
【背景技術】
【０００２】従来、形状記憶合金は、単に変形するだけの金属だと思われていた。
【発明の概要】
【発明が解決しようとする課題】
【０００４】従来、形状記憶合金は、なぜ形状を記憶して変形するのかよく分からなかった。
本発明は、以上の理由を解明するものである。
【課題を解決するための手段】
【０００５】形状記憶合金には、電子部品を内蔵している。
【発明の効果】
【０００６】形状記憶合金には、電子部品が内蔵されており、変形しても元の形状に戻ることができる。
【図面の簡単な説明】
【図１】本発明の図である。
【発明を実施するための形態】
以下、本発明を実施するための形態について説明する。
形状記憶合金には、電子部品を内蔵している。
【符号の説明】
【０００９】１  部品
２  形状記憶合金
【図１】
2019094557.tif 000003
(57)【要約】      （修正有）【課題】セパレーター(登録商標)、フォームタイ(登録商標)、金物専門職等不用とし工期の短縮、省力化、コストダウンにつなげる型枠工法の提案。【解決手段】足本固定金具１の一端側に取付可能な矩尺型支柱左側金具３と足本固定金具１の一端側取付可能な矩尺型支柱右側金具２を備え、支柱左側の矩尺部と支柱右側矩尺部とは、可変長で取付可能であり矩尺型支柱左側金具に複数個の横鋼管受けを有し、矩尺型支柱右側金具の矩尺部と矩尺型支柱左側金具の矩尺部を固定具を介して連結することにより、門型形状となることを特徴とするコンクリート型枠組立て金具。【選択図】図１
2019094671.tif 000002
【特許請求の範囲】
【請求項１】
足本固定金具(1)の一端側に取付可能な矩尺型支柱左側金具(3)と前記足本固定金具(1)の一端側取付可能な矩尺型支柱右側金具(2)を備え前記支柱左側の矩尺部と支柱右側矩尺部とは、可変長で取付可能であり前記矩尺型支柱左側金具に複数個の横鋼管受けを有し、前記矩尺型支柱右側金具の矩尺部(E)と前記矩尺型支柱左側金具の矩尺部(E)を固定具を介して連結することにより、門型形状となることを特徴とするコンクリート型枠組立て金具。
【請求項２】
請求項1から3のいずれか記載のコンクリート型枠組立て金具と直方体形状の出隅金具(5)を備え、前記出隅金具の一つの面に出隅固定部(F)を有し、前記出隅固定部を備える面の隣の面に複数個の横鋼管受け(D)を有し、特徴とするコンクリート型枠組立て金具の矩尺型支柱右側金具(2)矩計型支柱左側(3)と出隅金具(5)をそれぞれ結合させることを特徴とするコンクリート型枠組立てセット金具。
【請求項３】
横鋼管受け(D)に横鋼管(G)を固定することにより横鋼管(G)と出ツメ(B)間に型板(H)を取付け、被服スペンサーで固定し型板(H)を取付け可能な特徴とするセット金具。
【請求項４】
前記矩尺型の支柱金具(2)(3)のそれぞれの矩尺部にそれぞれの矩尺部を固定するための固定用複数個穴を有するとともに、前記複数の固定用穴を50ミリ間隔配置しており、前記複数の固定穴内に固定具を介して、固定できることを特徴とする請求項1のコンクリート型枠組立金具。
【請求項５】
前記足本固定金具(1)は両端を折り曲げ部を有するコの字型(C)の形状からなり、かつ両端付近にそれぞれ型板差し込み用の出ツメ(B)を有し、両端折り曲げ部(C)及び前記矩尺型の支柱左側金具の長尺部の一端及び前記矩尺型の支柱右側金具の長尺部の一端にそれぞれのピン差し込み穴(A)を有し、特徴とする請求項1のコンクリート型枠組立て金具。
【発明の詳細な説明】
【技術分野】
【０００１】
本発明は、建物の基礎地中梁等のコンクリート打込み用型枠を簡素化し容易にする工法である。
【背景技術】
【０００２】
型枠製作及びセパレーター(登録商標)、フォームタイ(登録商標)、金物専門職等不用とし工期の短縮、省力化、コストダウンにつなげる。
【発明の概要】
【発明が解決しようとする課題】
【０００３】
一般的には、基礎伏図、詳細図等により事前にコンパネ補助桟、釘、金物等で専門職により型枠を製作し、積込運搬現場に搬入し、セパレーター(登録商標)、フォームタイ(登録商標)を取付け堅横鋼管をセットし締付通り建てり確認し固定する。
【課題を解決するための手段】
【０００４】
施工図に基づき捨コンクリート又は、ベースコンクリート上に墨出し足本固定金具(1)をコンクリートビス等で、取付完了後配筋をし、完了後矩尺型金具(2)(3)を足本固定金具(1)にセットし、組立て出隅金具(5)をセットし、横鋼管60□を取付し、型枠用コンパネ厚12
又はラス型枠他を足本固定金具(1)のツメ(B)に差し込み、鉄筋から被服スペンサー等で型板を固定しサポートジャッキ等で通り根お越し固め完了とする。
【発明の効果】
【０００５】
事前の製作工程をほとんどなくすものとし、セパレーター(登録商標)、フォームタイ(登録商標)、金物を不用とし、又セパレーター(登録商標)の腐れにより水が進入し鉄筋が腐食し、強度の低下防止にもつなげる。
【図面の簡単な説明】
【０００６】
【図１】透視図
【図２】詳細図
【図３】詳細図
【発明を実施するための形態】
【０００７】
型枠組立て専門職に頼らないで他の職でも組立て簡単にでき、工期短縮、省力化、コストダウンとする。
【実施例】
【０００８】
門型状金具、コンクリート型枠実施例。
【符号の説明】
【０００９】
1  足本固定金具(消耗品)
2  矩尺型支柱右側金具
3  矩尺型支柱左側金具
4 足本固定差し込みピン
5 出隅部金具
6 頭部矩尺型金具右左組立ピン
【図１】
2019094671.tif 000003
【図２】
2019094671.tif 000004
【図３】
2019094671.tif 000005
(57)【要約】【課題】雨水は雨が上がった後も水の表面張力、繋ぎ目、施工誤差により発生する角度等により残留してしまい、残留した雨水が樋の劣化を早め、水垂れを発生させ、藻や苔などの発生により機能、美観を損ねるが、本発明は毛細管現象と重力による自然排水を行わせる事によりこれを防止する。【解決手段】水平樋上部底面に凹状の溝を作り毛細管現象を発生させる繊維状の素材を溝の中に設置する。また集水桝内部側面及び縦樋内部側面にも同じ素材を連続して設置する事により毛細管現象と重力により自然排水を行う。この実施形態によれば、多少の角度や繋ぎ目の凹凸が有ったとしても毛細管現象により集水桝、縦樋への排水を行う事ができる。また繊維状素材が劣化した際は、交換し設置する事により効果を回復する事ができる。【選択図】図１
2019094687.tif 000002
【特許請求の範囲】
【請求項１】
水平樋の底面中央に溝を付け、溝のサイズに合わせた毛細管現象を発生させる繊維状の素材を連続して集水桝、縦樋まで固定する事により排水を行う仕組み
【請求項２】
水平軒樋部品上面底部に凹型切欠部を形成したことを特徴とする請求項１に記載の軒樋部品。
【請求項３】
請求項2に記載の水平樋と連続して集水桝及び縦樋内部側面に繊維状素材を設置する事を特徴とする軒樋部品。
【発明の詳細な説明】
【技術分野】
【０００１】
本発明は水平樋上部底辺及び集水桝内部側面、縦樋内部側面に、毛細管現象を発生させる繊維状の素材を水平方向及び垂直方向に連続して設置し、水平樋に水が残留しないよう毛細管現象を利用して縦樋に排水する樋についてである。
【背景技術】
【０００２】
水平樋には、例えある程度水平樋から集水桝、竪樋に向けて角度が付いていたとしても水の表面張力により雨水が残ってしまう場合が有る、また施工誤差や、水平樋繋ぎ目に段差が出来てしまうことにより雨水は溜まってしまう。
【発明の概要】
【発明が解決しようとする課題】
【０００３】
水平樋上面には雨後に水の表面張力、繋ぎ目、施工誤差での角度等により水分が残留してしまい、樋接合部の接着、防水が経年劣化し水垂れを生じさせる原因となる。
また、生じた水垂れは水垂れ跡を発生させると共に藻や苔を発生させてしまい美観を損ねる。
水平樋から集水桝、竪樋方向へ有る程度角度を付けるなどして、排水を促す事は出来るが意匠的な問題が発生してしまう。
【課題を解決するための手段】
【０００４】
水平樋上部底面に凹状の溝を作り毛細管現象を発生させる繊維状の素材を溝の中に設置する。また集水桝内部側面及び縦樋内部側面にも同じ素材を連続して設置する事により毛細管現象と重力により自然排水を行う。
【発明の効果】
【０００５】
本発明は、水平樋上面に溜まった水分を毛細管現象と重力によって集水桝、竪樋に排水を行わせ、水平樋上面に水分が溜まる事を防止する。
【図面の簡単な説明】
【０００６】
【図１】この発明の一実施形態横断面図を、図１に示す。水平樋１の上部底面中央に2の凹型の溝を付け、溝のサイズに合わせた毛細管現象を発生させる繊維状の素材3を水平方向に連続して固定する事により集水桝、縦樋へ排水を行う事が可能で有る。
【図２】この発明の一実施形態縦断面図を、図2に示す。水平樋１の上部底面中央に2の凹型の溝を付け、溝のサイズに合わせた毛細管現象を発生させる繊維状の素材3を集水桝4、縦樋6へ水平方向3及び垂直方向5、7へ連続して設置する事により、重力と毛細管現象により排水を行う事が可能で有る。
【発明を実施するための形態】
【０００７】
この実施形態によれば、多少の角度やつなぎ目の凹凸が有ったとしても毛細管現象により自然に縦樋への排水を行う事ができる。
【産業上の利用可能性】
【０００８】
新築住宅へ本発明樋を設置することにより、雨後の排水を速やかに行え水垂れを防止する事ができる。また繊維状素材が劣化した際は、交換・再設置する事により効果を回復させる事ができる。
また、毛細管現象を発生させる繊維状素材は既存の建築済み住宅へも施工が可能である事から、既存建築済み住宅に於いても同様の効果が期待できる。
【図１】
2019094687.tif 000003
【図２】
2019094687.tif 000004
(57)【要約】【課題】本発明は、セリシンとヘンプオイル及びカンナビジオールの特性を有効に使い、紫外線から肌を守り正常な状態に整え、更に、保湿効果に優れ、べたつかず肌なじみがよい使用感を有する化粧料を提供する。【解決手段】本発明は、セリシンとヘンプオイル及びカンナビジオールとを混ぜ合わせ化粧料としてスプレータイプにすることで上記課題を解決し得ることを見出した。【選択図】なし【特許請求の範囲】
【請求項１】
家蚕、天蚕などの野蚕を含む蚕で蛹が入った状態の繭を丸ごと瞬間冷凍→微粉砕→フリ  ーズドライ→真空パックすることを特徴とする繭の抽出・精製方法。
【請求項２】
家蚕、天蚕などの野蚕を含む蚕の繭の抽出物とヘンプオイル及びカンナビジオールを混ぜ合わせることを特徴とする化粧料。
【請求項３】
カンナビジオールとセリシンの混合液による化粧料。
【請求項４】
ヘンプオイルとセリシンの混合液による化粧料。
【請求項５】
ヘンプオイルとカンナビジオールとセリシンの混合液による化粧料
【請求項６】
ヘンプオイル及びカンナビジオールに家蚕、天蚕などの野蚕を含む蚕全般を薬品不使用で水のみを沸騰させて糸取をした後の廃棄物である煮汁の混合液による化粧料。
【請求項７】
請求項１〜６に防腐剤や香料、水を混合した化粧料。
【発明の詳細な説明】
【技術分野】
【０００１】  本発明は、家蚕、天蚕などの野蚕を含む蚕で蛹が入った状態の繭の抽出・精製する方法および、その抽出・精製物とヘンプオイル及びカンナビジオールの組み合わせ、またはセリシンとヘンプオイル及びカンナビジオールとの組み合わせによる化粧料に関する。
【背景技術】
【０００２】  セリシンとヘンプオイル及びカンナビジオールとの新規性のある組み合わせにより、セリシンの皮膚癌予防効果（特許文献１）、保湿力・浸透力（非特許文献１）、シミ・ソバカスなどの原因であるメラニン色素の発生を助けるチロシナ−ゼを阻害する効果（特許文献２）とカンナビジオールの持つ「ホメオスタシスを活性化し、調整する「エンド・カンナビノイド・システム（身体に本来備わっている調節機構の一つ）」の働きを良くする」（非特許文献１）という特徴を組み合わせることにより、紫外線から肌を守り正常な状態に整え、更にべたつかずしっとりとした使用感を得る。
また、ほとんどが廃棄されている家蚕、天蚕などの野蚕を含む蚕の繭から薬品不使用で水のみを沸騰させて糸取をしたときに残った煮汁と蛹の廃材利用に貢献する。
【先行技術文献】
【特許文献】
【０００３】
【特許文献１】特開２００１−３５４５８４
【０００４】
【特許文献２】特開平１０−２６５４０３
【非特許文献】
【０００５】
【非特許文献１】セーレン株式会社  ｈｔｔｐｓ：／／ｓｈｏｐ．ｓｅｉｒｅｎ．ｃｏｍ／ｅｃ／ｃｏｍｏａｃｅ０２．ｈｔｍｌ
【０００６】
【非特許文献２】株式会社Ｉ．Ｈ．Ｍ  ｈｔｔｐ：／／ｈａｄｏ．ｃｏｍ／ｃｂｄ／
【発明の概要】
【発明が解決しようとする課題】
【０００７】  セリシンとヘンプオイル及びカンナビジオールという新規性のある組み合わせにより、紫外線から肌を守り正常な状態に整え、更に、べたつかずしっとりとした使用感を得る。
また、家蚕、天蚕などの野蚕を含む蚕の繭から薬品不使用で水のみを沸騰させて糸取する際に生じる煮汁や蛹の廃材を有効活用する。
【課題を解決するための手段】
【０００８】  本発明は、セリシンとヘンプオイル及びカンナビジオールとの新規性のある組み合わせにより、紫外線から肌を守り正常な状態に整え、更に、べたつかずしっとりとした使用感の向上させることができる。
また、今まで廃棄されていた繭の糸取後に出た煮汁や蛹をヘンプオイル及びカンナビジオールと組み合わせて化粧料にすることで廃材利用に貢献できる。
【発明の効果】
【０００９】  本発明により、紫外線から肌を守り正常な状態に整え、更に、保湿効果に優れ、べたつかず肌なじみがよい使用感触が認められる化粧料が提供されると共に、今まで廃棄されていた薬品不使用で水のみを沸騰させて糸取していた繭の煮汁や蛹を使用することによってエコロジー対策と同時にコストパフォーマンス向上に役立つ。
(57)【要約】【課題】エイズ、がんなどの直りにくい病気の病原体の菌の中には、電子部品が存在する。【解決手段】直りにくい病気の病原体には電子部品が存在する。電子部品を壊すと、菌が消滅する。【選択図】図１
2019094318.tif 000002
【特許請求の範囲】
【請求項１】
エイズ、がんなどの直りにくい病原体の菌に、電子部品が内蔵されている。
【発明の詳細な説明】
【技術分野】
【０００１】この発明は、直りにくい病気には、電子部品を内蔵しているものがあることに関するものである。
【背景技術】
【０００２】従来、直りにくい病気は、どうして直りにくいかよく分からなかった。
【発明の概要】
【発明が解決しようとする課題】
【０００４】これは、次のような欠点があった。
従来、直りにくい病気がありなぜだかよく分からなかった。
【課題を解決するための手段】
【０００５】病原体の菌の中に電子部品が内蔵されている。
【発明の効果】
【０００６】直りにくい病原体の内蔵されている電子部品が、壊れると病原体の菌は消滅する。
【図面の簡単な説明】
【０００７】
【図１】本発明の図である。
【発明を実施するための形態】
【０００８】以下、本発明を実施するための形態について説明する。
病原体に電子部品が内蔵されている。
【符号の説明】
【０００９】１．部品
２．病原体の菌
【図１】
2019094318.tif 000003
(57)【要約】      （修正有）【課題】この発明は地球温暖化などの問題になっているＣＯ２や待機汚染などの有害物質を減らし綺麗な地球を取り戻す為のものを提供する。【解決手段】重力の下へ引き付ける力を利用し重りを付けた回転車の片方に長くもう片方に短くし、長くした方の重りは重力に引かれ下へ下がり回転運動をする。回転運動をする為に短くした重りを長くし重りが短くした重りを上に押し上げ、押し上げられた重りを油圧シリンダージャッキを用い重りを返し長くする。これにより回転運動を継続する。以上により地球上のあらゆる自然エネルギィの中でもっとも安定した重力エネルギィを使う為安定した発電が出来る。従って安全な電気供給が出来る。【選択図】図１
2019002394.tif 000002
【特許請求の範囲】
【請求項１】
この発明により危険な原子力発電を無くし今問題になっているＣＯ２など暑暖化問題を解決します。
【発明の詳細な説明】
【技術分野】
【０００１】本発明は重力をエネルギィとした回転運動を用い発電機を回す事により発電する為のエンジンである。【０００２】このエンジンは重力をエネルギィとするため他の燃料となる物は一切使う事はありません。【０００３】自然のエネルギィを使う事により問題になっているＣＯ２やダイオキシンなどの有害物質などで人体を害する事の無い無害なエンジンです。【０００４】このエンジンを使う事により地球温暖化などの問題を解決する事が出来ます。
【背景技術】
【０００５】従来発電する為に使われる物として用いられる原子力発電や火熱発電など大きなリスクを伴う物が有りますがこの発電装置には危険を伴う物は有りません。
【発明の開示】
【発明が解決しようとする課題】
【０００６】地球温暖化などの問題を解決するため又エネルギィである原油や天然ガスなどの化石燃料などの資源を節約して未来の人類の為少しでも長く利用出来る用にするべきです。
【課題を解決するための手段】
【０００７】重力の下へ引き付ける力を利用し重りを付けた回転車の片方に長くもう片方に短くし長くした方の重りは重力に引かれ下へ下がり回転運動をします
回転運動をする為に短くした重りを長くした重りが短くした重りを上に押しあげます押上られた重りを油圧シリンダージャッキを用い重りを返し長くします
これにより回転運動を継続します。
【発明の効果】
【０００８】この発明により温暖化問題を解決し又自然エネルギィの節約など又原子力発電など危険な発電施設を使わないで電力供給する事が出来ます。【０００９】以下本発明の実地の形態を図１２に基づいて説明します。
【図面の簡単な説明】
【００１０】
【図１】  図１は本体の正面図です。
【図２】  図２はギアボックスの内部構造です。
【図３】  図３は本体の裏面図です。
【図４】  図３の上部の拡大図です。
【符号の説明】図１のＡＢは重りです。
図１のＣはギアボックスです。
図１のＤは弾み車です。
図１のＥは発電用気です。
図２の１２３４は歯車です。
図３のＦは油圧式シリンダージャッキです。
図４のＦが重りを押し上げる様子を示した物です。【００１１】この油圧式シリンダージャッキは建設機械などでいろいろな用途で使われています。【００１２】この油圧式シリンダージャッキを電動式で動かす事で本体自身で発電した電気を使う事で自給自促エンジンになります。【００１３】この発電装置を大型の物にした時にはガソリンエンジンやディゼルエンジンを使用してシリンダージャッキを動かす事で小エネエンジンになります。
【図１】
2019002394.tif 000003
【図２】
2019002394.tif 000004
【図３】
2019002394.tif 000005
【図４】
2019002394.tif 000006